(57)【要約】【課題】キャンバスの縦横あらゆる方向に自在に設置可能で、かつ、安定して固定可能なハンドバーを提供する。【解決手段】絵画制作の際にキャンバス１０に取り付けて使用するハンドバー１であって、ハンドバー１は、筒状部材２と、筒状部材２に嵌挿される棒状部材３とから構成される。ハンドバー１は、ａ）筒状部材２と棒状部材３を任意の位置で固定しハンドバー１の長さを調整し得る長さ調整部材９と、ｂ）キャンバス１０の表面上に当接することを防止する部材であって、ハンドバー１の両端部で、筒状部材２と棒状部材３のそれぞれの側周面上に設けられた突起部材（７ａ，７ｂ）と、ｃ）キャンバス１０の上下左右の何れかの端辺にハンドバー１の端部を固定する部材であって、ハンドバー１の両端部の少なくとも一端部に設けられた固定部材８を備える。【選択図】図１
2018069580.tif 000002
【特許請求の範囲】
【請求項１】
絵画制作の際にキャンバスに取り付けて使用するハンドバーであって、
前記ハンドバーは、筒状部材と、該筒状部材に嵌挿される棒状部材とから成り、
前記筒状部材と前記棒状部材を任意の位置で固定しハンドバーの長さを調整し得る長さ調整部材と、
キャンバスの表面上に当接することを防止する部材であって、ハンドバーの両端部で、前記筒状部材と前記棒状部材のそれぞれの側周面上に設けられた突起部材と、
キャンバスの上下左右の何れかの端辺にハンドバーの端部を固定する部材であって、ハンドバーの両端部の少なくとも一端部に設けられた固定部材と、
を備えたことを特徴とする伸縮式ハンドバー。
【請求項２】
前記固定部材は、
キャンバスの端辺に係止するフック部と、留め具とから成り、
前記留め具は、ハンドル部と螺子部から成り、
前記フック部をキャンバスの上下左右の何れかの側面と裏面に係止させた状態で、前記ハンドル部を操作して、前記螺子部を、前記筒状部材又は前記棒状部材に設けられた貫通孔と、フック部に設けられた貫通孔とを挿通させてボルト締めすることにより、前記突起部材の先端部と前記フック部のキャンバス裏面当接部との間隙距離が調節され、キャンバスにハンドバーの端部を固定することを特徴とする請求項１に記載の伸縮式ハンドバー。
【請求項３】
前記突起部材は、キャンバス上に当接した際に、前記筒状部材の軸方向とキャンバス面とが平行になるように、それぞれの高さが調整されたことを特徴とする請求項１又は２に記載の伸縮式ハンドバー。
【請求項４】
前記筒状部材と前記棒状部材の断面形状は、円形状又は楕円形状であることを特徴とする請求項１〜３の何れかに記載の伸縮式ハンドバー。
【請求項５】
前記長さ調整部材は、キャンバスに描画を行う使用者の手腕と接触しないように、ハンドバーをキャンバスの水平方向に取り付けた際に、キャンバスを正面から見た状態で、前記筒状部材の下側に位置するように設けられたことを特徴とする請求項１〜４の何れかに記載の伸縮式ハンドバー。
【発明の詳細な説明】
【技術分野】
【０００１】
本発明は、油絵等の絵画制作の際に、筆等を持つ手を支持し、筆等を動かしやすくする器具に関するものである。
【背景技術】
【０００２】
従来から、油絵等の絵画を制作する際に、特に細部の描写を行うに当たっては、腕鎮が多く使用されてきた。腕鎮とは、一般に木の丸棒から成り、キャンバスの枠に、コルク製やゴム製の滑り止め部材が設けられた先端部を当て、木棒の上に筆を持った腕をのせて、安定させるものである。腕鎮の長さがより必要な場合には、複数の棒体を螺合して、継ぎ足しする構造となっている。
【０００３】
しかしながら、従来の腕鎮は、キャンバスの大きさに合わせて、木棒を数本繋ぐものであるため、使用しない木棒は別の場所に置く等することになり、紛失しやすいという問題があった。
また、キャンバスに対して縦線を描く場合には、ゴム製等の滑り止め部材をキャンバスの上部に引っ掛けて描くことができるが、キャンバスに対して横線を描く場合には、キャンバスの左右側面に腕鎮を引っ掛けて使用するため、木棒に手を乗せると手の重みで腕鎮が下方にずれてしまい、細かな描写がしづらいという問題があった。
【０００４】
そこで、絵画の細部描画を容易にすることを目的とした描画補助具が知られている（特許文献１を参照）。これは、キャンバスの左右両端部の外側に、多数の小孔が設けられた部材を設け、釘金具が設けられたバーを小孔に嵌め込んで固定し、描画の補助具とするものである。
これによれば、横線を描く場合でも、手の重みでバーがずれるということはなく、細かな描写が可能である。また、描画する位置に応じて、バーの位置を、キャンバスの上方から下方まで任意の位置に調節することも可能である。
しかしながら、上記特許文献１に開示された描画補助具では、バーの角度は、キャンバスに対して水平に設置できるのみであり、必要に応じて縦方向や斜め方向に設置して使用するといった利用が困難であるという問題があった。
【先行技術文献】
【特許文献】
【０００５】
【特許文献１】特開平９−１４０４９６号公報
【発明の概要】
【発明が解決しようとする課題】
【０００６】
かかる状況に鑑みて、本発明は、キャンバスの縦横斜めのあらゆる方向に自在に設置可能で、かつ、安定して固定可能なハンドバーを提供することを目的とする。
【課題を解決するための手段】
【０００７】
上記課題を解決すべく、本発明の伸縮式ハンドバーは、絵画制作の際にキャンバスに取り付けて使用するハンドバーであって、ハンドバーは、筒状部材と、該筒状部材に嵌挿される棒状部材とから成り、筒状部材と棒状部材を任意の位置で固定しハンドバーの長さを調整し得る長さ調整部材と、キャンバスの表面上に当接することを防止する部材であって、ハンドバーの両端部で、筒状部材と棒状部材のそれぞれの側周面上に設けられた突起部材と、キャンバスの上下左右の何れかの端辺にハンドバーの端部を固定する部材であって、ハンドバーの両端部の少なくとも一端部に設けられた固定部材とを備えたことを特徴とする。
【０００８】
伸縮機構を有することで、長さ調節が容易となるばかりではなく、部品の管理も容易となり、紛失等を防止することにも役立つといえる。なお、棒状部材は、筒状でもよく、筒状の部材を用いることで軽量化を図ることも可能である。
【０００９】
また、突起部材が設けられることにより、使用時にキャンバスとハンドバーの接触を防止することができ、絵画を汚すことなく、描画を行うことができる。そのため、突起部材の頂点の位置は、ハンドバーをキャンバスに取り付けた際に、キャンバスの端部から５〜１０ｍｍの箇所に設けられることが好ましく、より好ましくは、キャンバスの端部から８ｍｍである。
なお、突起部材の先端には、滑り止め効果を高めるために、ゴムやコルク等の弾力性のある部材をさらに設けてもよい。
【００１０】
固定部材は、ハンドバーの両端部の内、少なくとも一端部に設けられればよいが、ハンドバーの両端部に設けてもよい。特に、キャンバスの上下又は左右の寸法が１ｍを超える場合である場合には、かかる構成とすることにより、より安定した固定が可能となる。
なお、筒状部材及び棒状部材の材質としては、使用時の撓みの発生を防止するため、アルミニウムなどの金属や硬質性プラスチックを好適に用いることができる。
【００１１】
本発明の伸縮式ハンドバーにおいて、固定部材は、キャンバスの端辺に係止するフック部と、留め具とから成り、留め具は、ハンドル部と螺子部から成り、フック部をキャンバスの上下左右の何れかの側面と裏面に係止させた状態で、ハンドル部を操作して、螺子部を、筒状部材又は棒状部材に設けられた貫通孔と、フック部に設けられた貫通孔とを挿通させてボルト締めすることにより、突起部材の先端部とフック部のキャンバス裏面当接部との間隙距離が調節され、キャンバスにハンドバーの端部を固定することが好ましい。
滑り止め部材を引っ掛ける従来の腕鎮等とは異なり、フック部と突起部材をボルト締めで固定することから、安定した固定が可能である。また、螺子部が設けられた留め具が使用されることにより、幅広い厚みのキャンバスに対応でき、しかも、キャンバスに設置する際の角度調整を容易にする。
【００１２】
本発明の伸縮式ハンドバーにおいて、突起部材は、キャンバス上に当接した際に、筒状部材の軸方向とキャンバス面とが平行になるように、それぞれの高さが調整されたことが好ましい。かかる構成とされることにより、ハンドバーに乗せた手の高さが一定となり、スムーズな描画が可能となる。
【００１３】
本発明の伸縮式ハンドバーにおける筒状部材と棒状部材の断面形状は、円形状又は楕円形状であることが好ましい。円形状又は楕円形状とされることにより、ハンドバーに乗せた手に対する負担が少なくなり、利便性を向上させる。
【００１４】
本発明の伸縮式ハンドバーにおける長さ調整部材は、キャンバスに描画を行う使用者の手腕と接触しないように、ハンドバーをキャンバスの水平方向に取り付けた際に、キャンバスを正面から見た状態で、筒状部材の下側に位置するように設けられたことが好ましい。これにより、ハンドバーの使用時に、ハンドバーに乗せた手が長さ調整部材に当たらず、スムーズな描画が可能となる。
【発明の効果】
【００１５】
本発明の伸縮式ハンドバーによれば、縦横斜めのあらゆる方向に自在に安定して設置可能であることから、描画の際の手の震えを抑制し、キャンバスを汚すことなく、絵の具の盛り上がり、色乗せ、又は細かい線を容易に描くことが可能となるといった効果を有する。また、伸縮機構を有することにより、部品の管理がしやすく、紛失等が起こりにくいといった効果もある。
【図面の簡単な説明】
【００１６】
【図１】実施例１のハンドバーの斜視図
【図２】実施例１のハンドバーの正面図
【図３】実施例１のハンドバーの断面図
【図４】実施例１の固定部の説明図１
【図５】実施例１の固定部の説明図２
【図６】実施例１のハンドバーの使用イメージ図１
【図７】実施例１のハンドバーの使用イメージ図２
【図８】実施例２のハンドバーの使用イメージ図
【発明を実施するための最良の形態】
【００１７】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１８】
図１は、実施例１のハンドバーの斜視図を示している。図１に示すように、ハンドバー１は、筒状部材２、棒状部材３、ボルト付きハンドル４、ナット部材５、支持部材６、突起部材（７ａ，７ｂ）及び長さ調整部材９から成る。
棒状部材３は、筒状部材２に伸縮自在に嵌挿され、長さ調整部材９によって固定可能となっている。筒状部材２及び棒状部材３は、アルミニウムで形成されている。
突起部材（７ａ，７ｂ）は、ハンドバー１の両端部に設けられている。ボルト付きハンドル４は、筒状部材２、ナット部材５及び支持部材６に設けられた貫通孔（図示せず）を順に挿通するように設けられている。ナット部材５と支持部材６は、接合されているが、一体成形されていてもよい。
【００１９】
図２は、実施例１のハンドバーの正面図を示している。図２に示すように、棒状部材３を左方へ引っ張り、ハンドバー１を伸長して使用することができる。また、棒状部材３を右方へ押し込み、ハンドバー１を短縮して使用することもできる。
長さ調整部材９は、ハンドバー１の長さを固定するために使用する。使用方法としては、まず、筒状部材２と棒状部材３を操作してハンドバー１を適切な長さに調整し、長さ調整部材９の螺子頭９ａを回転させて、筒状部材２に設けられた孔２ｄに螺子部９ｂを螺入する。そして、螺入された螺子部９ｂが、棒状部材３に設けられた溝３ａに当接することにより、ハンドバー１の長さが固定される構造である。
なお、長さ調整部材９は、ハンドバー1をキャンバスに設置して使用する際に、描画を行う手が長さ調整部材９に当たることのない下の位置に設けられている。
【００２０】
図３は、実施例１のハンドバーの断面図を示している。図３に示すように、筒状部材２には、突起部材７ａが設けられており、棒状部材３には、突起部材７ｂが設けられている。突起部材（７ａ，７ｂ）は、ハンドバー１をキャンバスに取り付けた際に、キャンバス表面とハンドバー１の間に隙間を持たせる役割を果たす。図３に示すように、棒状部材３は、筒状部材２の内部を摺動する構造であるため、必然的に筒状部材２の径は棒状部材３の径よりも大きくなる。ハンドバー１を使用する際には、ハンドバー１の軸方向とキャンバス表面は平行に保たれることが描きやすさの点からは好ましい。そこで、突起部材（７ａ，７ｂ）の高さは同一ではなく、突起部材７ａの高さＨ１よりも、突起部材７ｂの高さＨ２の方が高く設けられ、ハンドバー１の取り付けの際に、キャンバス表面と、筒状部材２及び棒状部材３の軸方向が平行となる構造とされている。
【００２１】
図３に示すように、ナット部材５には側面当接部５ａが設けられ、キャンバスに取り付ける際には、側面当接部５ａがキャンバス側面に当接するように取り付けられる。また、支持部材６には裏面当接部６ａが設けられ、キャンバスに取り付ける際には、裏面当接部６ａがキャンバス裏面に当接するように取り付けられる。このように、側面当接部５ａと裏面当接部６ａがフック部を形成することで、ボルト付きハンドル４を用いて突起部材７ａとボルト締めされた際に、ハンドバー１がキャンバスからずれ落ちることなく、しっかりと固定される構造となっている。
【００２２】
図４及び図５は、実施例１の固定部の説明図を示している。図４に示すように、筒状部材２の端部には固定部材８が設けられている。固定部材８は、ボルト付きハンドル４、ナット部材５及び支持部材６から成り、筒状部材２に設けられた突起部材７ａと挟持されることによりキャンバス１０に固定される構造である。
ボルト付きハンドル４の螺子部４ｂは、筒状部材２に設けられた貫通孔２ｃ、ナット部材５に設けられた貫通孔５ｃ、支持部材６に設けられた貫通孔６ｃに順に挿通されている。
ハンドバー１をキャンバス１０に取り付ける際には、キャンバス１０の側面を、ナット部材５に設けられた側面当接部５ａに当接させる。また、キャンバス１０の裏面を、支持部材６に設けられた裏面当接部６ａに当接させる。かかる状態で、突起部材７ａがキャンバス１０の表面端部に当接するように、キャンバス１０の厚みに合わせてハンドル４ａを回して固定する。キャンバス１０の側面に側面当接部５ａが当接した状態で、裏面当接部６ａと突起部材７によって挟持されるため、図５に示すように、しっかりと固定される構造となっている。
【００２３】
図６及び７は、実施例１のハンドバーの使用イメージ図を示している。
固定部材８には、ボルト付きハンドル４が用いられているため、キャンバス１０に固定する角度は、縦横等の一定の角度に限られず、ボルト付きハンドル４の螺子部４ｂの軸中心に回動自在に取り付け可能な構造となっている。したがって、図６に示すように、キャンバス１０の右上に固定部材８を固定し、左下に向けて、筒状部材２から棒状部材３を伸長して取り付けることも可能である。
ユーザ１１は、筒状部材２及び棒状部材３の上に手を乗せて、細かな描画を行うことができる。
【００２４】
また、前述したように、固定部材８は、側面当接部５ａ、裏面当接部６ａ及び突起部材７の３点で当接し、ボルト付きハンドル４で締め付けてキャンバスに固定する構造であるため、図７に示すように、キャンバス１０の右側面に固定部材８を固定させて使用しても、手の重みでハンドバー１がずれ落ちることのない構造である。
なお、固定箇所は、図示した例に限られず、キャンバス１０の端部であれば固定可能であり、例えば、左端部や下端部に固定部材８を取り付けることも可能である。
【実施例２】
【００２５】
図８は、実施例２のハンドバーの使用イメージ図を示している。図８に示すように、ハンドバー１００には、実施例１とは異なり、筒状部材２だけではなく、棒状部材３の端部にも固定部材８が設けられている。
かかる構成とすることにより、キャンバス１０にハンドバー１００を固定した際に、より安定した固定が可能となる。これは、キャンバス１０の上下又は左右の寸法が１ｍを超える場合に特に有用である。
なお、実施例１と同様に、固定箇所は、図示した例に限られず、キャンバス１０の端部であれば固定可能であり、例えば、右端部と下端部に固定部材８を取り付けることも可能である。
【産業上の利用可能性】
【００２６】
本発明は、絵画制作用や製図用のハンドバーとして有用である。
【符号の説明】
【００２７】
１，１００  ハンドバー
２  筒状部材
２ｃ，５ｃ，６ｃ  貫通孔
２ｄ  孔
３  棒状部材
３ａ  溝
４  ボルト付きハンドル
４ａ  ハンドル部
４ｂ，９ｂ  螺子部
５  ナット部材
５ａ  側面当接部
６  支持部材
６ａ  裏面当接部
７ａ，７ｂ  突起部材
８  固定部材
９  長さ調整部材
９ａ  螺子頭
１０  キャンバス
１１  ユーザ
Ｈ  高さ
【図１】
2018069580.tif 000003
【図２】
2018069580.tif 000004
【図３】
2018069580.tif 000005
【図４】
2018069580.tif 000006
【図５】
2018069580.tif 000007
【図６】
2018069580.tif 000008
【図７】
2018069580.tif 000009
【図８】
2018069580.tif 000010